(57)【要約】【課題】遊技盤に施された図柄，文字等の装飾模様を生かし、見栄えのよいパチンコ遊技機を提供する。【解決手段】前面に図柄，文字等の装飾模様Ｍが描かれた遊技盤８と、前記遊技盤８に配設される盤面部品１２と、を備えたパチンコ遊技機であって、前記盤面部品１２は前記遊技盤８の前面に取着するフランジ状の取付基板２６を有し、前記取付基板２６に前記遊技盤８に描かれた装飾模様Ｍが臨む開口部３３を形成した。【選択図】  図２
2004223012.tif 000002
【特許請求の範囲】
【請求項１】
前面に図柄，文字等の装飾模様が描かれた遊技盤と、前記遊技盤に配設される盤面部品と、を備えたパチンコ遊技機であって、
前記盤面部品は前記遊技盤の前面に取着するフランジ状の取付基板を有し、前記取付基板に前記遊技盤に描かれた装飾模様が臨む開口部を形成したことを特徴とするパチンコ遊技機。
【請求項２】
前記盤面部品の開口部を前記遊技盤に描かれた装飾模様の縁取りをなすように開設したことを特徴とする請求項１記載のパチンコ遊技機。
【請求項３】
前記遊技盤に透口を開設すると共に該透口に発光体のレンズ部を前記遊技盤面とほぼ面一に設け、前記レンズ部を前記開口部に臨ませて発光させるようにしたことを特徴とする請求項１又は２記載のパチンコ遊技機。
【請求項４】
前記遊技盤は所定厚さを有する板材と、前記板材の前面に貼着した薄板状の装飾板とで構成され、前記開口部に位置する板材に前面が前記装飾板で閉塞された透口を開設すると共に該透口内に発光体を設けたことを特徴とする請求項１又は２記載のパチンコ遊技機。
【発明の詳細な説明】
【０００１】
【発明の属する技術分野】
本発明は、パチンコ遊技機に関し、特に遊技盤に盤面部品が設けられたパチンコ遊技機に関するものである。
【０００２】
【従来の技術】
パチンコ遊技機は遊技盤に盤面部品が設けられ、その盤面部品は取付基板に彩色を施すために色毎または図柄毎に浅窪状に切削して、それぞれの窪み部に塗料を色差していた。このため手間と時間がかかり作業性が悪く、耐久性に欠けていることから、最近では図柄を印刷したシールを貼着するものが主流となっている（例えば、特許文献１参照。）。
【０００３】
【特許文献１】
実開平６−２３５７６号公報
【０００４】
【発明が解決しようとする課題】
しかしながら、上記盤面部品のようにシールを貼着したものは、耐久性がよくなるものの、立体感がなく見栄えの乏しいものになりがちであった。また、近年表示装置等の盤面部品が大型化され、折角遊技盤面に描かれた図柄及び文字が盤面部品の取付基板によって隠されてしまうため、遊技者に視認される面積が少なくデザイン的にも苦労することになっている。そして、遊技盤面の図柄と盤面部品のシ−ルの図柄と関連性及び一体性を持たせても、絵ずれを起して見栄えを悪くし、質感が異なることから違和感を呈していた。
【０００５】
そこで、本発明は上記課題を解決するためになされたもので、その目的とするところは、遊技盤に描かれた図柄及び文字を生かし、見栄えのよいパチンコ遊技機を提供することにある。
【０００６】
【課題を解決するための手段】
かかる目的を達成するため、請求項１記載の発明は、前面に図柄，文字等の装飾模様が描かれた遊技盤と、前記遊技盤に配設される盤面部品と、を備えたパチンコ遊技機であって、前記盤面部品は前記遊技盤の前面に取着するフランジ状の取付基板を有し、前記取付基板は前記遊技盤に描かれた装飾模様が臨む開口部を形成したことを特徴とする。ここでいう「盤面部品」とは、取付基板によって遊技盤に取付けられる各種部品を意味し、例えば種々の表示記号を変動可能に表示する可変表示装置，入賞装置，打球の流下方向を規制または誘導する風車，ランプ飾り等の飾り部材である。
【０００７】
請求項２記載の発明は、請求項１記載の発明において、前記盤面部品の開口部を前記遊技盤に描かれた装飾模様の縁取りをなすように開設したことを特徴とし、装飾模様を際立たせることができる。
【０００８】
請求項３記載の発明は、請求項１又は２記載の発明において、前記遊技盤に透口を開設すると共に該透口に発光体のレンズ部を前記遊技盤面とほぼ面一に設け、前記レンズ部を前記開口部に臨ませて発光させるようにしたことを特徴とする。前記レンズ部は装飾模様としての役割をなし、装飾効果を高めることができる。
【０００９】
請求項４記載の発明は、請求項１又は２記載の発明において、前記遊技盤は所定厚さを有する板材と、前記板材の前面に貼着した薄板状の装飾板とで構成され、前記開口部に位置する板材に前面が前記装飾板で閉塞された透口を開設すると共に該透口内に発光体を設けたことを特徴とする。前記装飾板は所謂「セル板」と呼ばれ、図柄，文字等の装飾模様が描かれており、該装飾板が前記開口部で照射され面一で発光し、装飾効果を高めることができる。
【００１０】
前記装飾板の可撓性を利用して、該透口前面に位置する装飾板を進退させ遊技盤面に凹凸面を形成するのが好ましく、遊技盤面を遊技球が多様に変化して遊技に興趣を持たせるのがよい。その方法は、レンズ部材によって凹凸を形成しても、別途設けた可動体をモータ等の電気的駆動源の駆動により進退させることにより凹凸を形成するようにしてもよい。さらに、スピーカを利用して装飾板を振動させるようにして、遊技球の流下に変化をもたらすようにしてもよい。
【００１１】
前記盤面部品は遊技盤のほぼ中央に設けられる可変表示装置であり、前記遊技盤の図柄，文字等の装飾模様を前記可変表示装置の形状及び表示内容と関連付けたデザインとするのが好ましい。
【００１２】
【発明の実施の形態】
以下に本発明に係るパチンコ遊技機の実施の形態を図面と共に説明する。図１は本発明のパチンコ遊技機の正面図であり、図において、１はパチンコ遊技機の機枠、２は該機枠１の前面に開閉自在に装着される前面枠で、その前面にガラス板等の透明板を備えたガラス扉枠３と打球供給皿４を装着した前面板５とがそれぞれ開閉自在に蝶着されており、その下方に前記打球供給皿４の余剰球を貯留する余剰球受皿６及びパチンコ球の打力を調節する操作ハンドル７が設けられている。また、前記ガラス扉枠３の後側に遊技盤８が装着されている。
【００１３】
前記遊技盤８は、図３及び図４に示すように遊技盤本体として所定厚さを有する板材９の前面に、図柄，文字等の装飾模様が描かれた所謂「セル板」といわれる薄板状の装飾板１０が貼着されている。具体的に装飾板１０は、０．２ｍｍ程度のポリエチレンテレフタレート等の合成樹脂製の薄板に装飾模様Ｍをオフセット印刷等により印刷し、該合成樹脂製の薄板の裏面に紙板を重合接着している。なお、前記装飾板１０には、図４に示すように「アンテナ」，「時計」，「スピーカ」，「テレビゲーム機」等の図柄Ｍ１及び「ＢＳ」，「３ＣＨ」等の文字Ｍ２が装飾模様Ｍとして描かれており、後述する盤面部品としての可変表示装置１２の形状及び表示内容と関連性を持たせたデザインとしている。そして、所定箇所に多種の盤面部品が配設される取付開口１４，１４及びアウト口２１が開設されている。なお、装飾板１０は紙板に装飾模様を印刷して合成樹脂製の薄板を重合接着しても装飾模様を印刷した合成樹脂製の薄板のみとしてもよい。また、図柄Ｍ１，文字Ｍ２等の装飾模様Ｍは、「セル板」に限らずシールとして貼着するようにしてもよい。さらに、前記遊技盤８を合成樹脂等により形成し、「セル板」及び「シール」を貼着することなく該遊技盤８の表面に直接図柄Ｍ１，文字Ｍ２等の装飾模様Ｍを施すようにしてもよい。
【００１４】
前記遊技盤８の前面にはガイドレール１５が敷設されており、該ガイドレール１５に囲まれる遊技領域８ａには多種の盤面部品が配設される。具体的には、盤面部品として略中央から右側方にかけて可変表示装置１２が設けられ、該可変表示装置１２の直下に位置して変動型の始動入賞口１６が設けられ、その下方に大入賞装置１３が装着されている。また、可変表示装置１２の側方の適宜位置には通過ゲート１７，一般入賞口１８や打球の流下方向を規制または誘導する風車１９または障害釘２０が配設されている。前記始動入賞口１６の内部には、入賞球を検出する入賞球検出器１６ａが設けられており、該入賞球検出器１６ａによる検知により前記可変表示装置１２の表示を変動する。
【００１５】
前記大入賞装置１３は周知のもので、図１に示すように取付基板２２の前面に横長の開口窓２３が設けられると共に該開口窓２３に開閉扉２４が枢着され、該開閉扉２４を前側に傾動して開口窓２３を開成した遊技者にとって有利となる第１の状態と、起立して開口窓２３を閉成した遊技者にとって不利となる第２の状態とに自在に変換できるようになっている。
【００１６】
図２は可変表示装置１２の正面図を示す。該可変表示装置１２は、遊技盤８の表面に取付けるフランジ状の取付基板２６を有し、該取付基板２６のほぼ中央に窓孔２７を形成した主枠部２８を介して種々の数字，文字，図柄等の表示記号を変動可能に表示する液晶ディスプレイ型の可変表示部２９が配設され、窓孔２７から可変表示部２９の表示を視認するようにしている。前記主枠部２８は、可変表示部２９をテレビ画面に見立てて、該主枠部２８の側方にチャンネル等の擬似体３０が設けられている。また、取付基板２６は２〜３ｍｍ程度の厚さを有し、表面に鏡面加工が施されている。そして、該取付基板２６には、縁枠部３１として前記遊技盤８に施された図柄Ｍ１，文字Ｍ２等の装飾模様Ｍが臨む開口部３３が形成されている。この実施の形態において、可変表示部２９の周囲に位置する前記遊技盤８に施された「アンテナ」，「時計」，「スピーカ」等の図柄Ｍ１及び「ＢＳ」，「３ＣＨ」等の文字Ｍ２が前記開口部３３から臨むようにしている。なお、前記主枠部２８と縁枠部３１とを別体で形成するようにして、これら主枠部２８と縁枠部３１とをビス等により一体的に組付けるようにしてもよい。万一縁枠部３１が破損しても可変表示装置１２全体を交換することなく縁枠部３１のみの交換でよく、部分交換が可能でコストの低減化を図ることができる。しかも、破損しやすい縁枠部３１を別体で形成することで保管が容易となる。
【００１７】
このように、遊技盤８に描かれた図柄Ｍ１，文字Ｍ２等の装飾模様Ｍを縁枠部３１の開口部３３から臨ませることで、色差し等の煩わしい作業を省くことができる。しかも、縁枠部３１により装飾模様Ｍが囲まれることで盤面部品（可変表示装置）と遊技盤８に描かれた図柄Ｍ１，文字Ｍ２が強調され、盤面部品との関連性を明確にすることができる。また、従来取付基板に貼着していたシールのような絵ずれを起すことがなく、装飾板１０と盤面部品の図柄に関連性を持たせた場合に、別物のように見せながら当然のことながら質感が同一であるため違和感を呈することがない。さらに、縁枠部３１により遊技盤８に描かれた図柄Ｍ１，文字Ｍ２を分断して、それぞれの図柄Ｍ１，文字Ｍ２を独立して見せるようにすることができ、図柄Ｍ１，文字Ｍ２の境界を明確にすることもできる。また、縁枠部３１を透光性樹脂により形成し、該縁枠部３１にカッティング又はシボ処理等を施して、レンズ作用により該縁枠部３１を透して盤面の図柄Ｍ１及び文字Ｍ２に変化を持たせることも可能である。なお、前記縁枠部３１の開口部３３に遊技球が流下し得るようにして、該開口部３３内に位置して、前記した風車１９及び障害釘２０を配設することも可能である。
【００１８】
さらに、図５に示すように前記した「アンテナ」，「時計」，「スピーカ」等の図柄Ｍ１及び「ＢＳ」，「３ＣＨ」等の文字Ｍ２を縁取りするように縁枠部３１に開口部３３を形成するようにしてもよく、縁取りすることで前記図柄Ｍ１及び文字Ｍ２をはっきり認識させることができると共に立体的に見せることができる。また、可変表示装置１２（盤面部品）と遊技盤８に施された図柄Ｍ１，文字Ｍ２の関連性を明確にすることができる。さらに、他の装飾模様Ｍの図柄，色彩毎に開口部３３を細分化して、遊技者に迫力ある視覚的効果を与えるようにしてもよい。このとき、取付基板２６は２〜３ｍｍ程度の厚さが好ましく、あまり取付基板２６を厚くすると開口部３３から覗き込むような形となり、遊技盤８面に描かれた図柄Ｍ１，文字Ｍ２等の装飾模様が視認しづらくなる。また、遊技盤８面に描かれた図柄Ｍ１，文字Ｍ２の境界が多少ぼけていても、縁枠部３１により縁取りすることで、その不鮮明さを隠蔽することができる。また、例えば風船が割れたり火山が噴火したりした図柄Ｍ１によっては、図柄Ｍ１を分断する縁枠部３１の一部を開放して風船が割れたり火山が噴火したりした状態を明確にするようにしてもよく、図柄Ｍ１の連続性及び関連性を強調することができる。
【００１９】
また、図６及び図７に示すように主枠部２８の側方（図上左側）に開口部３３を形成し、該開口部３３を跨ぐように透光性を有する通路部材３８で連接して、主枠部２８と縁枠部３１間に始動入賞口１６に入賞しやすくするワープ通路を形成してもよく、前記通路部材３８を介して遊技盤８面の図柄Ｍ１及び文字Ｍ２等の装飾模様が視認できる。このように、ワープ通路の後面に位置した開口部３３に、遊技盤８面の図柄Ｍ１及び文字Ｍ２を臨ませることで、ワープ通路に対応してわざわざシールを貼着することも無くコストの低減化が図られる。さらに、通路部材３８を縁枠部３１と一体に成形することも可能となり、通路部材３８を組付ける組立工程を簡略することができる。
【００２０】
図８は、前記縁枠部３１に形成した開口部３３に、遊技盤８に設けた発光体を臨ませるようにした実施の形態を示している。この実施の形態に示す発光体は、前面にレンズ部３６が設けられるＬＥＤ３５である。前記遊技盤８には前記レンズ部３６の周縁に合致するように透口３９が穿設され、前記レンズ部３６は前面がデザインの一部となるように遊技盤８面とほぼ同一面となる突出寸法に設定しており、ビス等により遊技盤８の裏面側から固着される。また、前記開口部３３を前記レンズ部３６の周縁と合致または小さめに形成し、前記縁枠部３１がレンズ部３６の縁取りをなすようにするのが好ましい。
【００２１】
前記レンズ部３６に換えて透光性のある装飾板１０を利用してもよく、装飾板１０が前面を閉塞するように遊技盤８本体の板材９のみに透口３９を開設し、該透口３９に発光体としてＬＥＤ３５を臨ませて、装飾板１０の後面側から直接照射するようにして装飾板１０に描かれた装飾模様Ｍを際立たせるようにしてもよい。通常、取付開口１４は板材９に装飾板１０を貼着した状態でルータ加工等により開設されるが、前記透口３９は予め板材９の所定位置にルータ加工等により貫通状に開設し、その後前記透口３９の前面を閉塞するように装飾板１０を貼着して設けられる。なお、遊技盤８自体を透光性樹脂により成形して、その後面側から発光体を照射するようにしてもよい。
【００２２】
さらに、図９に示すように装飾板１０により前面を閉塞するように開設された透口３９に、発光体と共に前面を僅かに円弧面としたレンズ部３６を臨ませて、前記透口３９を閉塞する装飾板１０部を該装飾板１０の可撓性を利用して僅かに膨出させるようにしてもよく、光源により装飾模様Ｍの見栄えをよくすると共に図柄Ｍ１を立体的に見せることができ、しかも盤面部品の取付基板２６に開設した開口部３３を遊技球が通過する際には、前記レンズ部３６により突出した膨出部の膨出量により微妙に遊技球の流れが変化し、遊技者の興趣を高めることができる。また、逆にレンズ部３６の前面を凹面状に形成して、装飾板１０を凹面部に接着剤等により密着させて装飾板１０を凹状にさせることも可能である。なお、前記ＬＥＤ３５は単色発光であっても多色発光のものであってもよい。このとき、装飾板２０が一枚ものであるため、開口部３３を遊技球が通過しても、凹凸部に段差ができることはなくスムーズに流下する。また、前記発光体はＬＥＤ３５に限定されることなく、豆球であっても面発光する所謂ＥＬプレートを使用してもよい。ＥＬプレートは装飾板１０を透光印刷部と非透光印刷部とで構成し、前記透光印刷部に対応してＥＬプレートを重ね合わせるようにすればよい。なお、ＥＬプレートは、前記透光印刷部のみに対応して設けるようにしても、遊技盤８のほぼ全面に亘り設けるようにしてもよい。
【００２３】
また、前記したように装飾板１０で前面を閉塞するように開設した透口３９に、モータ等の電気的駆動源によって可動する可動体を臨ませ、電気的駆動源の駆動により可動体を可動させて透口３９に位置する装飾板１０部を押圧して、該透口３９に位置する装飾板１０部を進退させるようにして興趣を惹起すようにしてもよい。具体的には、図１０に示すようにモータ４０に取着した偏心カム板４１の回転により、ガイド枠４３に支持された可動体４２を進退させて装飾板１０部を押圧するようにすればよい。このように、装飾板１０部を可動させることにより、今までにない動的装飾効果を発揮し、遊技球の流下にもより多くの変化を持たせることができる。さらに、前記したように透口３９にＬＥＤ３５等の発光体を臨ませるのが効果的であり、例えば透口３９に位置する装飾板１０の図柄Ｍ１を「心臓」として、前記装飾板１０部の進退が恰も心臓の鼓動のように見せることも可能であり、より装飾効果を高めることができる。
【００２４】
また、前記可動体４２に換えて装飾板１０に接触するようにスピーカを設けるようにしてもよく、該スピーカの音の振動を装飾板１０に伝達させて該装飾板１０を振動させることができ、遊技球の流下に微妙な変化を付与して興趣ある遊技を楽しむことができる。特に、「スピ−カ」の図柄Ｍ１に合致させてスピーカを設けると効果的である。さらに、図１１に示すように所謂スピーカのコーン（振動体）に換えて前記装飾板１０をスピーカの振動体として直接振動させるようにしてもよい。具体的には、取付枠４５に固着された磁石４６に形成された溝部にコイル４７が巻装されフランジ４９ａを有する筒体４９を遊挿し、前記筒体４９を付勢部材としてのスプリング５０により付勢して振動発生手段Ｓを構成し、前記フランジ４９ａが常に装飾板１０に当接するようにしている。そして、電気信号の磁界の作用により発生した振動が装飾板１０を振動させて音を発声させ、「スピーカ」としての機能を果す。このとき、前記透口３９に位置する装飾板１０が大きければより音響効果が効果的なものとなり、さらにガラス扉枠３の透明板にその振動が伝達され遊技者に迫力ある音響効果を提供することができる。なお、遊技内容によりスピーカから発せられる音の大小，テンポを変化させるのが好ましい。さらに、前記したように透口３９にＬＥＤ３５等の発光体を臨ませるようにして装飾効果を高めるようにしてもよい。また、遊技者がスピーカからの効果音を聞きやすくするように、ガラス扉枠３に多数の透音孔を開設するのが好ましい。但し、前記透音孔には該透音孔から針金等の不正具の侵入を防ぐ障害壁等の不正防止手段を設けるのが好ましい。
【００２５】
実施の形態において、取付基板２６に開口部３３を開設した盤面部品を可変表示装置１２として説明したが、フランジ状の取付基板を有する盤面部品であればよく、所謂「羽根物タイプ」の役物としてもよい。また、前記した盤面部品としての大入賞装置１３の取付基板２２に開口部３３を設けるようにしても、盤面部品として所謂「チューリップタイプ」の始動入賞口１６の取付基板に遊技盤８に描かれた装飾模様Ｍが臨む開口部を形成するようにしてもよい。さらに、前記したように盤面部品は、必ずしも入賞装置に限定されるものではなく、遊技領域８ａに設けられる通過ゲート１７，一般入賞口１８，風車１９であってもサイドランプ等のランプ飾りであってもよく、大きさにも限定されるものではない。また、複数の盤面部品を取付基板によって一体的に設けるようにしてもよく、該取付基板に遊技盤に描かれた図柄，文字等の装飾模様が臨む開口部を開設するようにすればよい。
【００２６】
【発明の効果】
以上述べたように、本発明に係るパチンコ遊技機は、遊技盤に描かれた図柄，文字等の装飾模様を盤面部品の取付基板に開設した開口部から臨ませるようにしたので、取付基板に図柄を施すことがなくコストの低減化を図ると共に斬新なデザインとすることができ、絵ずれ等がなく見栄えがよく立体感及び盤面部品との一体感を味わうことができる。
【図面の簡単な説明】
【図１】パチンコ遊技機の正面図である。
【図２】遊技盤に取付けた可変表示装置部分の正面図である。
【図３】図２の側断面図である。
【図４】盤面部品を外した遊技盤の正面図である。
【図５】他の実施の形態の可変表示装置の正面図である。
【図６】他の実施の形態の可変表示装置の正面図である。
【図７】図６の側断面図である。
【図８】他の実施の形態の可変表示装置部分の断面図である。
【図９】他の実施の形態の遊技盤の要部断面図である。
【図１０】他の実施の形態の遊技盤の要部断面図である。
【図１１】他の実施の形態の遊技盤の要部断面図である。
【符号の説明】
８        遊技盤
９        板材（遊技盤本体）
１０      装飾板
１２      可変表示装置（盤面部品）
１３      大入賞装置（盤面部品）
２２      取付基板
２６      取付基板
２８      主枠部
３１      縁枠部
３３      開口部
３５      ＬＥＤ（発光体）
３６      レンズ部
３９      透口
Ｍ        装飾模様
Ｍ１      図柄
Ｍ２      文字
【図１】
2004223012.tif 000003
【図２】
2004223012.tif 000004
【図３】
2004223012.tif 000005
【図４】
2004223012.tif 000006
【図５】
2004223012.tif 000007
【図６】
2004223012.tif 000008
【図７】
2004223012.tif 000009
【図８】
2004223012.tif 000010
【図９】
2004223012.tif 000011
【図１０】
2004223012.tif 000012
【図１１】
2004223012.tif 000013